(57)【要約】本発明は、閉塞体として作用するカップが設けられた飲料ボトルに関するものである。飲料ボトル上へのカップの取付は、小さな力で行い得るものとされている。その結果、本発明は、飲料ボトルとカップとからなる組合せ体に関するものであって、カップ（１）が、飲料ボトル（３）の少なくとも一端部上に配置可能とされ、その端部上に取り付けられ得るものとされている。カップ（１）と飲料ボトル（３）との一方または双方には、当接ゾーン（９，９’）のところに、配置時におけるカップ内部空間（７）と外部環境との間のガス交換を可能とする凹凸形状（１１，１３，１５，１７）が設けられている。
2005500952.tif 000002
【特許請求の範囲】
【請求項１】
飲料ボトル（３）の頂部または底部に配置するためのカップ（１）であって、
配置された時に前記飲料ボトル（３）に対して当接することとなるゾーン（９）が、配置時におけるカップ内部空間（７）と外部環境との間のガス交換を可能とする凹凸形状（１１，１３，１５）を具備していることを特徴とするカップ。
【請求項２】
頂部または底部に配置され得るカップ（１）を受領し得るよう構成された飲料ボトル（３）であって、
前記カップ（１）の配置時に前記カップ（１）に対して当接することとなるゾーン（９’）が、配置時におけるカップ内部空間（７）と外部環境との間のガス交換を可能とする凹凸形状（１７）を具備していることを特徴とする飲料ボトル。
【請求項３】
飲料ボトル（３）とカップ（１）とからなる組合せ体（５）であって、
前記カップ（１）が、前記飲料ボトル（３）の少なくとも一端部上に配置可能とされ、その端部上に当接配置されている場合に、
前記カップ（１）と前記飲料ボトル（３）との一方または双方が、当接ゾーン（９，９’）のところに、配置時におけるカップ内部空間（７）と外部環境との間のガス交換を可能とする凹凸形状（１１，１３，１５，１７）を具備していることを特徴とする組合せ体。
【請求項４】
請求項１記載のカップ（１）または請求項２記載の飲料ボトル（３）または請求項３記載の組合せ体（５）のいずれかにおいて、
前記カップの凹凸形状の内径（ＤＢ）が、当接ゾーン（９，９’）において、前記飲料ボトルの外側ボトルシェル（４５）の外径（ＤＧ）に対応していることを特徴とするもの。
【請求項５】
請求項１または４記載のカップ（１）または請求項２または４記載の飲料ボトル（３）または請求項３または記載の組合せ体（５）のいずれかにおいて、
前記凹凸形状が、複数の節（１１）を有していることを特徴とするもの。
【請求項６】
請求項５記載のカップ（１）または飲料ボトル（３）または組合せ体（５）において、
前記節（１１）の高さ（Ｈ）が、０．２ｍｍ±１５％であることを特徴とするもの。
【請求項７】
請求項５または６記載のカップ（１）または飲料ボトル（３）または組合せ体（５）において、
前記複数の節（１１）が、少なくとも１つの列（１９）をなして配置され、
前記複数の節（１１）の各々が、ピーク（２１）を有し、
隣接するピーク（２１）どうしが、１５°という開口角度の分だけ互いに離間し、
前記節（１１）どうしのクリアランス開口角度（ＷＬ）が、好ましくは１２°とされていることを特徴とするもの。
【請求項８】
請求項５，６，または，７記載のカップ（１）または飲料ボトル（３）または組合せ体（５）において、
前記複数の節（１１）が、好ましくは３つといったような複数の平行列（１９）をなしてジグザグ状に配置されていることを特徴とするもの。
【請求項９】
請求項１または請求項４〜請求項８のいずれか一項に記載のカップ（１）または請求項２または請求項４〜請求項８のいずれか一項に記載の飲料ボトル（３）または請求項３〜請求項８のいずれか一項に記載の組合せ体（５）のいずれかにおいて、
前記凹凸形状が、ラビリンスシール（１３）を備え、
このラビリンスシール（１３）が、周縁方向に沿って配置された複数のリブ（１５）を有していることを特徴とするもの。
【請求項１０】
請求項９記載のカップ（１）または飲料ボトル（３）または組合せ体（５）において、
前記リブ（１５）の高さ（Ｈ２）が、０．２ｍｍ±１５％であることを特徴とするもの。
【請求項１１】
請求項９または１０記載のカップ（１）または飲料ボトル（３）または組合せ体（５）において、
前記複数のリブ（１５）が、少なくとも１つの列（３３）をなして互いに離間して配置され、
前記複数のリブ（１５）が、１つの前記列（３３）内において、シール対象をなす周縁長さの１／２〜３／４という合計シール長さを有している、好ましくは２／３という合計シール長さを有している、ことを特徴とするもの。
【請求項１２】
請求項９〜１１のいずれか一項に記載のカップ（１）または飲料ボトル（３）または組合せ体（５）において、
前記複数のリブ（１５）が、好ましくは２つといったような複数の平行列（３３）をなしてジグザグ状に配置されていることを特徴とするもの。
【請求項１３】
請求項１２記載のカップ（１）または飲料ボトル（３）または組合せ体（５）において、
前記平行列（３３）に対する直交方向における前記リブどうしの間のクリアランス間隔（ＡＬ）が、０．２４ｍｍとされていることを特徴とするもの。
【請求項１４】
請求項９〜１３のいずれか一項に記載のカップ（１）または飲料ボトル（３）または組合せ体（５）において、
前記ラビリンスシール（１３）を有した前記当接ゾーン（９，９’）が、配置状態において、円滑な表面を有していることを特徴とするもの。
【請求項１５】
請求項１または請求項４〜請求項１４のいずれか一項に記載のカップ（１）または請求項２または請求項４〜請求項１４のいずれか一項に記載の飲料ボトル（３）または請求項３〜請求項１４のいずれか一項に記載の組合せ体（５）のいずれかにおいて、
前記飲料ボトル（３）と前記カップ（１）との一方または双方が、プラスチック材料から形成され、好ましくは、前記飲料ボトルが、ＰＥＴから形成され、前記カップが、ＰＰから形成されていることを特徴とするもの。
【請求項１６】
請求項１または請求項４〜請求項１５のいずれか一項に記載のカップ（１）または請求項３〜請求項１５のいずれか一項に記載の組合せ体（５）のいずれかにおいて、
前記カップ（１）が、食料や広告や他の付属品を受領するための凹所（２３）を有し、
この凹所（２３）が、好ましくはシーリング（２５）によって閉じられていることを特徴とするもの。
【請求項１７】
請求項１または請求項４〜請求項１６のいずれか一項に記載のカップ（１）または請求項３〜請求項１６のいずれか一項に記載の組合せ体（５）のいずれかにおいて、
前記カップ（１）が、下側コーン形状ゾーン（２７）と、上側コーン形状ゾーン（２９）と、を備え、
これら両ゾーン（２７，２９）が、互いに異なるコーン角度を有していることを特徴とするもの。
【請求項１８】
請求項１７に記載のカップ（１）または組合せ体（５）のいずれかにおいて、
前記下側コーン形状ゾーン（２７）と前記上側コーン形状ゾーン（２９）との間の遷移ゾーン（３１）が、段状のものとして構成され、
その段の高さが、好ましくは、前記カップの壁厚さに対応したものとされていることを特徴とするもの。
【請求項１９】
請求項２または請求項４〜請求項１４のいずれか一項に記載の飲料ボトル（３）または請求項３〜請求項１８のいずれか一項に記載の組合せ体（５）のいずれかにおいて、
前記飲料ボトル（３）の前記凹凸形状が、飲料ボトル内部空間（３５）の方向を向いたノッチ（１７）を有していることを特徴とするもの。
【請求項２０】
請求項２または請求項４〜請求項１４のいずれか一項または請求項１９に記載の飲料ボトル（３）または請求項３〜請求項１９のいずれか一項に記載の組合せ体（５）のいずれかにおいて、
前記外側ボトルシェル（４５）の前記外径（ＤＧ）が、前記カップ（１）が配置された前記ゾーンにおいては、前記飲料ボトル（３）の中央部分をなすボトルシェル（４３）の外径（ＤＧ’）よりも小さいことを特徴とするもの。
【請求項２１】
請求項２０記載の飲料ボトル（３）または組合せ体（５）のいずれかにおいて、
前記外側ボトルシェル（４５）の前記外径（ＤＧ）が、配置された前記カップの外径（ＤＢ’）が前記ボトルシェル（４３）の前記外径（ＤＧ’）と面一となり得るような分だけ、前記ボトルシェル（４３）の前記外径（ＤＧ’）よりも小さいことを特徴とするもの。
【請求項２２】
請求項２または請求項４〜請求項１４のいずれか一項または請求項１９〜請求項２１のいずれか一項に記載の飲料ボトル（３）または請求項３〜請求項２１のいずれか一項に記載の組合せ体（５）のいずれかにおいて、
前記飲料ボトル（３）が、前記カップと前記飲料ボトルとの間の前記当接ゾーンを少なくとも部分的に被覆するラベルを備えていることを特徴とするもの。
【請求項２３】
請求項３〜請求項２２のいずれか一項に記載の組合せ体（５）において、
２００ｍｌ、２５０ｍｌ、３３０ｍｌ、あるいは、５００ｍｌという液体量（Ｖ）を提供するものであることを特徴とする組合せ体。
【発明の詳細な説明】
【技術分野】
【０００１】
本発明は、飲料ボトルの頂部または底部に配置するためのカップ、および、そのようなカップを保持するための飲料ボトル、ならびに、それらの組合せ体に関するものである。
【背景技術】
【０００２】
従来技術により、飲料ボトルに対して、飲用目的のために使用可能なカップを設けることが、公知である。そのようなカップは、飲料ボトルの底部に配置されている。すなわち、米国特許第５，４９９，７３８号明細書、米国特許第４，５０５，３９０号明細書、仏国特許出願公開第２６ ４６ ０７１号明細書、および、日本国特開平２−２０３４２号公報には、飲用目的のために使用可能なカップを底部に受領した飲料ボトルが開示されている。さらに、独国実用新案公開第２９９ ２２ ６１９号明細書には、カップが着脱可能に取り付けられた飲料ボトルが開示されている。この場合、飲料ボトルの底部は、飲料ボトルの外径がカップの外径にほぼ対応するようにして、カップに適応したものとされている。しかしながら、公知の飲料ボトルにおいては、飲料ボトルに対してのカップの着脱が、困難なものであった。それは、カップ外周縁と飲料ボトル壁との間の接触領域の気密度合いが大きいことのために、カップの内部が、過圧となったり（取付時）、減圧となったり（取外し時）、するからである。この現象は、例えば独国実用新案公開第２９９ ２２ ６１９号明細書の場合には、接触領域が緊密な嵌合を行うものとしてあるいは周縁ビードとして形成されている場合に、特に顕著である。その結果、カップの内部空間内に過圧や減圧が発生し、比較的大きな力を使わないとカップを着脱できないとか、カップを傾けたりあるいは揺すったりしながらでないとカップを着脱できないとか、という状況となっていた。このような着脱の困難さは、飲料ボトルやカップの便利さにとって、望ましいものではない。さらに、カップを傾斜させる必要性や揺する必要性が製造プロセスにとって望ましくない付加的ステップであることにより、飲料ボトルの頂部または底部上へのカップの自動的な配置も、また、困難であった。
【特許文献１】
米国特許第５，４９９，７３８号明細書
【特許文献２】
米国特許第４，５０５，３９０号明細書
【特許文献３】
仏国特許出願公開第２６ ４６ ０７１号明細書
【特許文献４】
日本国特開平２−２０３４２号公報
【特許文献５】
独国実用新案公開第２９９ ２２ ６１９号明細書
【発明の開示】
【課題を解決するための手段】
【０００３】
本発明の技術的課題は、比較的小さな力でもって着脱し得るような着脱可能カップを有した飲料ボトルを提供することである。
【０００４】
このような技術的課題は、請求項１の特徴点を有しているような、飲料ボトルの頂部または底部に配置するためのカップによって、また、請求項２の特徴点を有しているような、飲料ボトルの頂部または底部に配置し得るカップを保持するための飲料ボトルによって、また、請求項３の特徴点を有しているような、それらカップおよび飲料ボトルの組合せ体によって、解決される。有利には、さらなる特徴点は、従属請求項に記載されている。
【０００５】
本発明は、飲料ボトルの頂部または底部上へのカップの着脱時に、カップの内部空間と外部環境との間におけるガス交換が可能とされていれば、カップの着脱が容易となるという着想をベースとしている。この目的のために、カップ周縁と飲料ボトル壁との間の当接ゾーンの一方側または両側に、ガス流通を可能とし得る凹凸形状が設けられているような、飲料ボトルの頂部または底部に配置するためのカップ、または、頂部または底部に配置され得るカップを受領し得るよう構成された飲料ボトル、または、飲料ボトルとカップとからなる組合せ体、が提供される。
【０００６】
カップ周縁と飲料ボトル壁との間に、凹凸形状付きの当接ゾーンが設けられていることにより、カップの着脱をかなり単純に行うことができる。着脱可能なカップを有した本発明による飲料ボトルの使用は、カップを傾斜させたり揺すったりすることなく、カップの着脱を小さな力で行い得ることにより、非常に便利である。これにより、例えば製造プロセス時におけるカップの取付といったような、カップの自動的な取付にも適している。
【０００７】
本発明による第１のさらなる特徴点においては、カップまたは飲料ボトルの凹凸形状は、複数の節、あるいは、同様の点状突起、とされる。さらに、飲料ボトルは、飲料ボトル内部空間の方向を向いたノッチを有することができる。これにより、着脱時には、節どうしの間の自由空間内において、あるいは、節が設けられていないゾーンにおいて、ガスが流通することができる。このようなガス流通は、カップの着脱を容易なものとする。
【０００８】
カップを飲料ボトルの頂部上に配置した場合に、カップ内部空間の滅菌シールと防滴シールとを保証するために、本発明のさらなる特徴点においては、カップまたは飲料ボトルの凹凸形状は、ラビリンスシールを備え、このラビリンスシールは、カップの周縁方向に沿って配置された複数のリブと、これらリブどうしの間に位置した自由空間と、を有している。よって、飛沫水は、カップ内部空間内に侵入することができない。そのような場合には、例えば、飲料ボトルの外面を洗浄することによって、カップの外観性とカップ内部空間の衛生状態とを改善することができる。さらに、ラビリンスシールは、カップ内部空間内への細菌の侵入を防止する。これにより、カップ内部空間の衛生状態および滅菌状態が確保される。同時に、ラビリンスシールは、カップ配置時におけるカップ内部空間と外部環境との間のガス交換を可能とし得るような特性をも有している。これにより、飲料ボトルの頂部または底部上へのカップの着脱は、なおも、小さな力で行うことができる。複数のリブは、１つまたは複数の列をなして配置することができ、好ましくは、２つの平行列をなして配置することができる。
【０００９】
他の好ましい実施形態においては、飲料ボトルとカップとの一方または双方は、プラスチック材料から形成される。特に好ましくは、飲料ボトルは、ポリエチレンテレフタレート（ＰＥＴ）から形成され、カップは、ポリプロピレン（ＰＰ）から形成される。外部影響から飲料ボトルやカップの内容物を保護するために、あるいは、外観性を改良するために、プラスチック材料は、また、色付きのものとすることもできる。同時に、飲料ボトルおよびカップの一方または双方の重量が、通常の充填物（飲料品）に対して軽くなり、これにより、全体的な重心が低くなって、静的安定性を増大させることができる。加えて、ＰＥＴまたはＰＰから形成される製品は、コスト的に有利に製造することができる。
【００１０】
カップは、食料や広告や他の付属品を受領するための凹所を有することができ、この凹所は、好ましくはシーリングによってシールされる。さらに、対応製品を、カップ内部空間内に配置することもできる。これにより、組合せ体の外観性と効率性とを、全体的に、かなり向上させることができる。異なる物理条件の複数の製品をパッケージングするに際して１つのパッケージングドラムだけで済むことにより、市場受入性を増強することができる。
【００１１】
本発明のさらに他の特徴点においては、カップは、下側コーン形状ゾーンと、上側コーン形状ゾーンと、を備え、これら両ゾーンは、互いに異なるコーン角度を有しており、下側コーン形状ゾーンの方が、上側コーン形状ゾーンよりも、カップ軸に対しての傾斜が大きい。さらに、下側コーン形状ゾーンと上側コーン形状ゾーンとの間に、遷移ゾーンを備え、この遷移ゾーンは、段状のものとして構成される。この構成は、同様のカップを積み重ねることを可能とし、製造プロセスや充填プロセス時に複数のカップを搬送するに際して、スペースのかなりの節約効果をもたらす。
【００１２】
本発明の他の特徴点においては、カップの凹凸形状の内径が、飲料ボトルに対しての当接ゾーンにおいて、飲料ボトルの外側ボトルシェルの外径に対応している。これにより、カップは、過圧をもたらすことなく、飲料ボトルの頂部または底部上に配置することができる。飲料ボトル内に飲料品が充填されて封止され、その結果、飲料ボトルが膨張した時には、カップの凹凸形状と外側ボトルシェルとの間に、接触圧力が発生する。これにより、封止された飲料ボトルに対して、カップが、保持される。しかしながら、飲料ボトルが開封された後には、カップの凹凸形状と外側ボトルシェルとの間の接触圧力は、少なくとも部分的に低減する。これにより、カップは、何の問題もなく取り外すことができる。
【００１３】
本発明の他の特徴点においては、飲料ボトルは、カップの配置ゾーンにおいては、外径が、隣接ゾーンの外径よりも、小さなものとされている。好ましくは、外径どうしの差は、配置されたカップの外径が、隣接ゾーンの外径と面一となり得るようなものとされる。これにより、飲料ボトルとカップとを一体ユニットとすることができることにより、組合せ体の外観性を向上させることができる。これにより、カップと飲料ボトルとの間の遷移領域にラベルを設けることができて、特に有利である。さらに、飲料ボトルからカップが突出している場合に発生し得るような飲料ボトルからのカップの不用意な逸脱というリスクが、低減される。さらに、飛沫水や粒子がカップ内部空間内へと侵入することに対しての保護ももたらす。これにより、組合せ体は、何の問題もなく、従来的充填工場において製造することができる。
【００１４】
本発明による、飲料ボトルとカップとからなる組合せ体は、例えば旅行時といったように、携帯時に任意の場所での飲料の供給において、特に適している。したがって、飲料ボトルを比較的小さな寸法のものとして形成することが、好ましくは２００ｍｌや２５０ｍｌや３３０ｍｌや５００ｍｌといったような容量のものとして形成することが、特に有利である。
【発明を実施するための最良の形態】
【００１５】
以下、添付図面を参照しつつ、本発明について詳細に説明する。
【００１６】
図１には、本発明の第１実施形態によるカップ、飲料ボトル、および、これらの組合せ体が、概略的に示されている。図１におけるカップ（１）の鉛直方向断面が、部分的に拡大して概略的に示されている。
【００１７】
カップ（１）は、下側コーン形状ゾーン（２７）と、上側コーン形状ゾーン（２９）と、これら両ゾーン（２７，２９）の間に位置した段状遷移ゾーン（３１）と、カップ底面（２４）と、から構成されている。これら部材（２７，２９，３１，２４）によって、カップ内部空間（７）が形成されている。カップ軸に対しての、下側コーン形状ゾーン（２７）の傾斜は、カップ軸に対しての、上側コーン形状ゾーン（２９）の傾斜よりも、大きいものとされている。これにより、カップ（１）は、同様の他の複数のカップに対して積み重ねることができるようになっている。
【００１８】
カップおよび飲料ボトルに関しての『上側』および『下側』という用語は、通常の向きを示している。すなわち、カップについては、飲用開口面を上側とした状態での向きを示しており、飲料ボトルについては、キャップを上側とした状態での向きを示している。図１から明瞭に理解されるように、このような方向性は、少なくともカップに関しては、逆となっている。よって、方向性に関する表示は、例示を単純化するためのものに過ぎない。本発明は、方向性によって限定されるものではない。
【００１９】
さらに、カップ（１）は、カップ底面（２４）の直下に、凹所（２３）を有している。底面（２４）は、シーリング（２５）によって閉じられており、食料や広告や他の付属品を受領することができる。
【００２０】
上側コーン形状ゾーン（２９）の内面上においては（図２）、カップは、凹凸形状とされており、３つの列（１９）をなして、各列（１９）につき２４個の節（あるいは、ヌブ、結節）（１１）を有している。各節（１１）は、隣接する列に対してジグザグ状に配置されている。このような節（１１）の各々は、ピーク（２１）を有している。ピークどうしは、１５°という開口角度をなして、互いに離間されている。すなわち、複数の節は、カップ（１）の内周面に沿って、等間隔環状配置されている。個々の節（１１）どうしの間のクリアランス開口角度（ＷＬ）は、１２°である。節の高さ（Ｈ）は、約０．２ｍｍである。節に関するこのような高さおよび間隔が、特に好ましいものであることがわかっている。しかしながら、また、節の高さが±１５％変動したにしても、なおも満足のいく結果が得られることも、わかっている。同様に、節どうしの間隔も、本発明の利点を損なうことなく、少し変更することができる。図面には、円形形状が例示されているけれども、このような円形形状は、節に関する所望の技術的効果を得るに際しての、必須事項ではない。
【００２１】
カップ（１）の凹凸形状は、さらに、ラビリンスシール（１３）を備えている。このラビリンスシール（１３）は、周縁方向をなす２つの列として配置された複数のリブ（１５）を有している。ラビリンスシール（１３）は、カップの内面上において複数のリブが形成されたゾーン内に配置されている。各列内においては、互いに同様の等間隔環状配置された１２個のリブが設けられている。好ましくは、これらリブは、合計で、カップの内周面の２／３というシール長さを占めている。リブ（１５）どうしは、互いの間に合間（１６）を有している。この合間（１６）の中に、節（１１）が存在している。節は、ジグザグ状に配置されている。これにより、節は、隣接リブ列の合間（１６）内をカバーしている。リブの高さ（Ｈ２）は、約０．２ｍｍであり、隣接する２つのリブ列（３３）どうしの間の直交方向クリアランス間隔（ＡＬ）は、０．２４ｍｍである。リブの高さに関しては、同様に±１５％の変動があったにしても、所望の効果が得られることがわかっている。本発明の利点を得るに際し、カップの周縁方向において節（１１）どうしの間の間隔を変更し得るのと同様に、隣接する２つのリブ列（３３）に関する直交方向クリアランス間隔（ＡＬ）も、また、変更可能であり、さらに、隣接する２つのリブどうしのクリアランス幅（ＷＬ）も、また、変更可能である。
【００２２】
飲料ボトル（３）（図１）は、ボトルシェル（４３）を備えて構成されている。ボトルシェルには、両側において、それぞれ対応する周縁方向段状遷移部分（４４）を介して、各外側ボトルシェル（４５）が連結されている。一方の外側ボトルシェル（４５）には、さらなる周縁方向段状遷移部分（４６）を介して、開口（４１）に向けて縮径したボトルネック（３９）が連結されている。他方の外側ボトルシェル（４５）には、さらなる周縁方向段状遷移部分（４６）を介して、ボトル底部（４７）が連結されている。さらに、ボトルシェル（４３）は、複数の周縁方向グルーブ（３７）を備えている。これら周縁グルーブの機能に関しては、後述する。双方の外側ボトルシェル（４５）は、ボトルシェル（４３）に関して対称的に配置されており、ボトル内部空間（３５）の方向に複数のノッチ（１７）を有している。
【００２３】
飲料ボトル（３）は、ボトル内部空間（３５）を包囲しており、ボトル内部空間（３５）は、例えば飲料品を受領し得るよう機能する。飲料ボトル（３）とカップ（１）とは、透明なまたは色付きのプラスチック材料から構成される。好ましくは、飲料ボトルは、ＰＥＴから構成され、カップは、ＰＰから構成される。
【００２４】
カップ（１）は、飲料ボトル（３）の下方からボトル底部（４７）に対して配置することができる（図示せず）、あるいは、飲料ボトル（３）のボトルネック（３９）上へと上方から配置することができ（図１）、これにより、組合せ体（５）を形成する。ボトルネック（３９）上へのカップ（１）の配置は、個別の中間介在底部を形成する必要なく、組合せ体（５）どうしを互いに積み重ね得るという利点を有している。
【００２５】
配置状態においては、カップ（１）の上エッジが、周縁方向段状遷移部分（４４）に対して当接し、複数の節（１１）とラビリンスシール（１３）の複数のリブ（１５）とが、外側ボトルシェル（４５）に対して当接する。さらに、カップ底面（２４）は、中央位置決め状態でもって、ボトル底部（４７）または開口（４１）に対して着座することができる。しかしながら、隙間を設けることもできる。
【００２６】
カップ（１）を飲料ボトル（３）の頂部または底部上に配置した状態においては、複数の節（１１）と複数のリブ（１５）とは、外側ボトルシェル（４５）に沿ってスライドする。これにより、外側ボトルシェル（４５）とカップ（１）との間には、中空スペースが存在しており、カップ内部空間（７）と外部環境との間にわたって、ガス交換が可能とされている。このようなガス交換の結果、カップの着脱が、極めて容易なものとされる。同時に、カップ（１）のラビリンスシール（１３）は、防滴構造をもたらし、カップ内部空間（７）の滅菌シールをもたらす。試験により、各列（３３）における複数のリブ（１５）の合計シール長さが、シール対象をなす周縁長さの１／２〜３／４である場合に好ましくは２／３である場合に、ラビリンスシールの二重機能が最良に実現されることが判明している。
【００２７】
中央部分におけるボトルシェル（４３）の外径（ＤＧ’）は、カップ（１）の上側コーン形状ゾーン（２９）の最大外径（ＤＢ’）に対応している。よって、ボトルシェル（４３）の中央部からカップ（１）にかけての面一的遷移が、保証されている。
【００２８】
外側ボトルシェル（４５）の外径（ＤＧ）は、凹凸形状の内径（ＤＢ）に対応している、すなわち、カップ（１）の節（１１）およびリブ（１５）がなす凹凸形状の内径（ＤＢ）に対応している。よって、カップ（１）は、過圧や減圧をもたらすことなく、飲料ボトル（３）の頂部または底部上に着脱することができる。
【００２９】
飲料ボトル（３）内に飲料品が充填されて封止され飲料品の圧力によっておよび付加的なガス圧力によって飲料ボトルが膨張した時には、カップ（１）の節（１１）および／またはリブ（１５）と、外側ボトルシェル（４５）と、の間に、接触圧力が発生する。これにより、飲料ボトル（３）が封止された状態では、カップ（１）は、飲料ボトルに対して保持される。しかしながら、飲料ボトル（３）が開封された後には、カップ（１）の節（１１）および／またはリブ（１５）と、外側ボトルシェル（４５）と、の間の接触圧力は、少なくとも部分的に低減する。これにより、カップは、なおも取り付けられ得るものではあるけれども、何の問題もなく取り外すことができる。
【００３０】
ボトルの径方向膨出の制限、すなわち、カップ（１）の節（１１）および／またはリブ（１５）と、外側ボトルシェル（４５）と、の間の接触圧力の制限は、ボトルシェル（４３）の中央部に複数の周縁方向グルーブ（３７）を設けることによって、得ることができる。これらグルーブは、飲料ボトル（３）の長手方向における飲料ボトル（３）の剛直性を低減する。これにより、飲料ボトル（３）の径方向膨出を、飲料ボトルの長手方向において、数を増大させたグルーブ（３７）のところに集中させることができる。
【００３１】
組合せ体（５）は、例えば旅行時といったように、携帯時の任意の場所での飲料の供給において、特に適している。したがって、飲料ボトル（３）を比較的小さな寸法のものとして形成することが、好ましくは２００ｍｌや２５０ｍｌや３３０ｍｌや５００ｍｌといったような容量のものとして形成することが、特に有利である。
【００３２】
図３は、本発明の他の実施形態を示している。この場合、飲料ボトル（１０３）は、コンパクトな形状および寸法とされており、好ましくは２００ｍｌ容量といったような小容量のものとして特に好適なものとされている。飲料ボトル（１０３）は、原理的には、図１における飲料ボトル（３）に対応している。しかしながら、飲料ボトル（１０３）は、ボトル底部（１４７）上へと１つのカップを配置し得るよう構成されている。つまり、飲料ボトル（１０３）は、１つの外側ボトルシェル（１４５）のみを備えている。この外側ボトルシェル（１４５）は、中央領域のボトルシェル（１４３）の一方側において、周縁方向段状遷移部分（１４４）を介して連結されている。図１の場合と同様に、外側ボトルシェル（１４５）は、ボトル内部空間（１３５）の方向に複数のノッチ（１１７）を有している。これらノッチは、図２に示すカップに対して本質的に対応したカップと協働することによって、カップの配置時には、カップ内部空間と外部環境との間のガス交換を可能とする。よって、カップの配置が、かなり単純化される。
【００３３】
飲料ボトル（１０３）の反対側においては、中央部のボトルシェル（１４３）は、ボトルネック（１３９）と連結されており、最終的には開口（１４１）に対して連結されている。すなわち、飲料ボトルの通常の構成に対応した構成とされている。よって、飲料ボトル（１０３）の製造プロセスは、単純なものとすることができ、時間とコストとを節約することができる。
【図面の簡単な説明】
【００３４】
【図１】本発明によるカップ、本発明による飲料ボトル、および、これらの組合せ体を示す概略的な側面図である。
【図２】本発明によるカップの鉛直方向断面の半分を、部分的に拡大して示す図である。
【図３】本発明による他の飲料ボトルを示す概略的な側面図である。
【符号の説明】
【００３５】
１    カップ
３    飲料ボトル
５    組合せ体
７    カップ内部空間
９    当接ゾーン
９’  当接ゾーン
１１    節（凹凸形状）
１３    ラビリンスシール（凹凸形状）
１５    リブ（凹凸形状）
１７    ノッチ（凹凸形状）
１９    列
２１    ピーク
２３    凹所
２５    シーリング
２７    下側コーン形状ゾーン
２９    上側コーン形状ゾーン
３１    遷移ゾーン
３３    列
３５    飲料ボトル内部空間
４３    ボトルシェル
４５    外側ボトルシェル
１０３    飲料ボトル
１１７    ノッチ（凹凸形状）
１３５    ボトル内部空間
１４３    ボトルシェル
１４４    周縁方向段状遷移部分
１４５    外側ボトルシェル
１４７    ボトル底部
【国際公開パンフレット】
2005500952.tif 000003
2005500952.tif 000004
2005500952.tif 000005
2005500952.tif 000006
2005500952.tif 000007
2005500952.tif 000008
2005500952.tif 000009
2005500952.tif 000010
2005500952.tif 000011
2005500952.tif 000012
2005500952.tif 000013
2005500952.tif 000014
2005500952.tif 000015
2005500952.tif 000016
2005500952.tif 000017
2005500952.tif 000018
2005500952.tif 000019
2005500952.tif 000020
2005500952.tif 000021
2005500952.tif 000022
2005500952.tif 000023
【国際調査報告】
2005500952.tif 000024
2005500952.tif 000025
2005500952.tif 000026
2005500952.tif 000027
2005500952.tif 000028
2005500952.tif 000029